(57)【特許請求の範囲】
【請求項１】
ガラス管の内部に蛍光面を備え、両端に電子放射物質を塗布したフィラメントを設けて、内部に水銀と希ガスとを封入して密封した蛍光ランプにおいて、
蒸発可能な有効水銀がなくなる平均点灯時間をｔＨｇ［時間］、電子放射物質が消失してなくなる平均点灯時間をｔｅｍ［時間］とすると、
ｔｅｍ＋２０００≦ｔＨｇ≦ｔｅｍ＋８０００
２００００≦ｔＨｇ
を満たし、かつ、
４００００時間以上点灯を続けるランプの比率が１％以下となるように、封入水銀量と電子放射物質量を調整したことを特徴とする蛍光ランプ。
【請求項２】
前記ガラス管を直管とし、両端にセメントで固定した口金を備え、且つ、ｔＨｇ≦３５０００としたことを特徴とする請求項１記載の蛍光ランプ。
【請求項３】
前記ガラス管の外径を２４．３ｍｍから２６．７ｍｍ、前記口金の外端面間の距離を略１１９８ｍｍとし、前記蛍光面を前記ガラス管内面にまず厚さ０．５μｍ〜２．０μｍのγアルミナを主成分とする保護膜とその上に蛍光体層を設けたものとし、前記フィラメントに付着された電子放射物質の重量を、酸化物分として１個当り３．２ｍｇ〜４．５ｍｇとし、水銀量を２．４〜３．１ｍｇとしたことを特徴とする請求項２記載の蛍光ランプ。
【請求項４】
前記ガラス管の外側に樹脂の透明膜を密着して設け、且つ、ｔＨｇ≦３００００としたことを特徴とする請求項１〜３いずれかに記載の蛍光ランプ。
【発明の詳細な説明】
【技術分野】
【０００１】
この発明は、蛍光ランプ、特に寿命のバラツキを制御した蛍光ランプに関する。
【背景技術】
【０００２】
従来の直管蛍光ランプでは、ガラス管の内部に、水銀とガラスから析出するナトリウムの通過を防ぐ保護膜と発光する蛍光体の膜とで構成した蛍光面を設け、両端の内部に、タングステン線よりなる、電子放射物質を塗布したフィラメントを備え、内部に水銀と希ガスを封入して密封している。さらに、ガラス管の両端の外側にはそれぞれ口金がセメントによって固定されている（例えば、特許文献１，２参照）。
【０００３】
このフィラメントに通電して、温度を上げた後に、両端のフィラメント間に電圧を印加して放電を開始させ、以後は、両端のフィラメント間に所定の電流を流すことにより、放電を維持し、放電により水銀から発生する紫外放射を蛍光体が可視光に変換して照明に利用される。
【先行技術文献】
【特許文献】
【０００４】
【特許文献１】特開平０９−１５３３４５号公報
【特許文献２】特開２００５−２３５６５９号公報
【発明の概要】
【発明が解決しようとする課題】
【０００５】
このような蛍光ランプの寿命要因は、次の３通りである。
（１）電子放射物質が飛散あるいは蒸発してなくなり、放電を維持できなくなる。
（２）水銀が消耗してなくなり、紫外放射が殆どなくなり、可視光が殆ど発生しなくなる。
（３）蛍光体の劣化、ガラスの透過率の低下により光束が初期の７０％以下になる。
【０００６】
このうち、直管蛍光ランプについては、通常、（１）の電子放射物質の消失により寿命が決まる。この電子放射物質の消失は、通常の点灯時の放電によるものと、始動時の過渡状態でフィラメントの温度あるいはイオンの衝撃が最適でないために起こるものとに分類することができる。
【０００７】
近年は、このランプの電流を制御する安定器に、主に効率が高いことから電子安定器が用いられることが多くなってきた。電子安定器は、始動時にまずフィラメントに適切に電流を流して所定の温度に上昇させた後、放電を開始できる適切な電圧をランプ両端に印加し、始動させることができるようになってきた。このため、ランプによっては、寿命が４万時間を越え、ときには、５万時間にもなる場合が見られるようになってきた。
【０００８】
このような平均寿命を大きく越えて長時間点灯したランプは、他の劣化が起こり、それによって不具合が起こる可能性がある。その一つは、口金を固定するセメントが劣化し、ランプが寿命になった後、取り替えるときに加わった応力で、セメントが剥がれ、口金がガラス管に固定されない状態になる場合があることである。このような場合、ランプの取り外しが難しくなるとともに、取り替える作業者は、口金の角で手を切るなどの危険の可能性があるというという課題がある。
【０００９】
他の不具合としては、ガラス管が外部からの衝撃で割られた場合に、ガラスの飛散を防ぐために、ガラス管外側に樹脂膜を設けた形のランプについて、樹脂膜が劣化し、ガラスの飛散を防止する能力が低下する可能性があるという課題がある。
【００１０】
一方、電子放射物質のフィラメントの付着量や、消耗速度のバラツキは大きく、このような、極めて長い寿命のランプがある一方で、２万時間を切るランプもあり、平均寿命は一例では、２．５万時間程度である。上記の課題を解消するため、電子放射物質のフィラメントへの付着量を削減する方法もあるが、ランプの平均寿命が低下してしまうという課題があった。
【００１１】
この発明は、上記のような課題を解決するためになされたもので、平均寿命をできるだけ損なわないで、極めて長い寿命のランプを減らすことができる蛍光ランプを提供する。
【課題を解決するための手段】
【００１２】
この発明に係る蛍光ランプは、ガラス管の内部に蛍光面を備え、両端に電子放射物質を塗布したフィラメントを設けて、内部に水銀と希ガスとを封入して密封した蛍光ランプにおいて、
蒸発可能な有効水銀がなくなる平均点灯時間をｔＨｇ［時間］、電子放射物質が消失してなくなる平均点灯時間をｔｅｍ［時間］とすると、
ｔｅｍ＋２０００≦ｔＨｇ≦ｔｅｍ＋８０００
２００００≦ｔＨｇ
を満たし、かつ、
４００００時間以上点灯を続けるランプの比率が１％以下となるように、封入水銀量と電子放射物質量を調整したことを特徴とする。
【００１３】
この発明に係る蛍光ランプは、ガラス管を直管とし、両端にセメントで固定した口金を備え、且つ、ｔＨｇ≦３５０００としたものである。
【００１４】
この発明に係る蛍光ランプは、ガラス管の外径を２４．３ｍｍから２６．７ｍｍ、口金の外端面間の距離を略１１９８ｍｍとし、蛍光面を前記ガラス管内面にまず厚さ０．５μｍ〜２．０μｍのγアルミナを主成分とする保護膜とその上に蛍光体層を設けたものとし、フィラメントに付着された電子放射物質の重量を、酸化物分として１個当り３．２ｍｇ〜４．５ｍｇとし、水銀量を２．４〜３．１ｍｇとしたものである。
【００１５】
この発明に係る蛍光ランプは、ガラス管の外側に樹脂の透明膜を密着して設け、且つ、ｔＨｇ≦３００００としたものである。
【発明の効果】
【００１６】
この発明に係る蛍光ランプは、ｔｅｍ＋２０００≦ｔＨｇ≦ｔｅｍ＋８０００及び２００００≦ｔＨｇを満たすように封入水銀量と電子放射物質量を調整することにより、平均寿命の低下を抑えながら、寿命時間の分布を、特に長い側で小さくして、バラツキを小さくすることができる。
【００１７】
さらに、この発明に係る蛍光ランプは、ｔＨｇ≦３５０００とすることにより、口金のセメントの劣化が顕著になる可能性がある寿命４万時間以上のランプを大きく減少させることができる。
【００１８】
さらに、この発明に係る蛍光ランプは、ＪＩＳ  Ｃ７６１７−２で規定されたガラス管の外径が２４．３ｍｍから２６．７ｍｍ、口金の外端面間の距離が略１１９８ｍｍのＦＨＦ３２において、厚さ０．５μｍ〜２．０μｍのγアルミナを主成分とする保護膜と蛍光体層で蛍光面を構成した場合、フィラメントに付着された電子放射物質の重量を、酸化物分として１個当り３．２ｍｇ〜４．５ｍｇとし、水銀量を２．２〜３．２ｍｇとすることにより、１５０００≦ｔＨｇ≦ｔｅｍとｔｅｍ−５０００≦ｔＨｇ、ｔＨｇ≦３００００を具体化することができ、ランプの寿命を大きく減少させずに、ランプの寿命が４万時間以上になる比率を大きく減少させることができる。
【００１９】
この発明に係る蛍光ランプは、ガラス管の外側にガラス管が割れた場合のガラス飛散防止を目的にした樹脂の透明膜を密着して設け、さらに、ｔＨｇ≦３００００とすることによって、樹脂の透明膜の劣化によるガラス飛散の防止効果の低下した状態になる可能性を減じることができる。
【図面の簡単な説明】
【００２０】
【図１】実施の形態１を示す図で、直管蛍光ランプ１００の一部を破断して示す正面図。
【図２】図１のＡ部拡大図。
【図３】図１のＢ部拡大図。
【図４】スタータ形蛍光ランプの基本点灯回路図。
【図５】蛍光ランプの発光原理図。
【図６】実施の形態１を示す図で、直管蛍光ランプ１００の一例における電子放射物質の消失時間、水銀の完全不活性化時間、寿命のそれぞれの分布を示す図。
【図７】実施の形態１を示す図で、電子放射物質のフィラメントへの付着量の条件（平均、標準偏差）を一定にして、すなわち、電子放射物質の消失時間の平均を一定にして、水銀の完全不活性化時間を変化させた場合の寿命がどうなるかを示す図。
【図８】実施の形態２を示す図で、直管蛍光ランプ２００の一部を破断して示す正面図。
【図９】図８のＣ部拡大図。
【図１０】実施の形態２を示す図で、直管蛍光ランプ２００の一例（実施例６）における電子放射物質の消失時間、水銀の完全不活性化時間、寿命のそれぞれの分布を示す図。
【発明を実施するための形態】
【００２１】
実施の形態１．
図１乃至図３は実施の形態１を示す図で、図１は直管蛍光ランプ１００の一部を破断して示す正面図、図２は図１のＡ部拡大図、図３は図１のＢ部拡大図である。
【００２２】
図１乃至図３を参照しながら、直管蛍光ランプ１００（蛍光ランプの一例、以下、単にランプ、蛍光ランプと呼ぶ場合もある）の構成を説明する。
【００２３】
図１乃至図３に示す直管蛍光ランプ１００は、ガラス管１の内部に、水銀とガラスから析出するナトリウムの通過を防ぐ保護膜と発光する蛍光体の膜で構成した蛍光面（図示せず）を設けている。保護膜の一例はγアルミナの微粒子を塗布して固定したもので、厚さ０．５μｍから２．０μｍとしている。
【００２４】
ガラス管１の両端の内部に、タングステン線を二重あるいは三重のコイル状に整形し、電子放射物質を塗布したフィラメント３ａ，３ｂを備え、内部に水銀と希ガスを封入して密封している。図１では、左端側にフィラメント３ａが設けられ、右端側にフィラメント３ｂが設けられている。
【００２５】
直管蛍光ランプ１００の端部構造は、以下に示すとおりである。即ち、ガラス管１の両端をガラス製のステム４ａ，４ｂが閉じている（封止）。図１では、ガラス管１の左端をステム４ａが閉じ、ガラス管１の右端をステム４ｂが閉じている。
【００２６】
そして、ガラス製のステム４ａを貫通して、一対の金属線からなるリード線５ａ，５ｂが固定されており、その内側先端にフィラメント３ａの両端が固定されている。また、ガラス製のステム４ｂを貫通して、一対の金属線からなるリード線５ｃ，５ｄが固定されており、その内側先端にフィラメント３ｂの両端が固定されている。
【００２７】
また、ガラス管１の両端の外側には、それぞれ口金６ａ，６ｂがセメントによって固定されている。口金６ａの外側には、独立に絶縁されたピン７ａ，７ｂが設けられている。ピン７ａはリード線５ａに接続され、ピン７ｂはリード線５ｂに接続されている。そのような構成により、フィラメント３ａ，３ｂは外部と電気的に接続できるようになっている。
【００２８】
蛍光ランプは白熱電球と異なり、点灯させるための回路が必要になる。点灯回路の基本的な役割は、次の２要素である。
（１）放電を開始するため、まず、フィラメントに通電して温度を上げ、電子放射する状態にして、次にランプ両端の電極（フィラメント）間に放電を開始させるための電圧を供給する。
（２）放電を開始した後、ランプに流れる電流を適切な値に保つ。
【００２９】
点灯回路の方式は、スタータ形、ラビッドスタート形、インバータ（高周波点灯）方式の三つに分かれ、ランプはそれぞれの回路に適したものを使用する。ここでは、一例として、スタータ形点灯回路について説明する。
【００３０】
図４はスタータ形蛍光ランプの基本点灯回路図である。スタータ形の回路は安定器１０とグロースタータ１１とから構成される。電源が入ると、グロースタータの電極間で微放電が起こり、この放電の熱によってバイメタルで構成された電極が変形して閉じ、安定器１０→フィラメント３ａ→グロースタータ１１→フィラメント３ｂの回路に短絡電流が流れ、フィラメント３ａ，３ｂが加熱される。ここでグロースタータ１１が動作し、上記回路を切る。このとき蛍光ランプの両端のフィラメント３ａ，３ｂ間に高い電圧（千数百ボルト）のパルス電圧が発生し、放電が開始（ランプ点灯）する。この放電により流れる電流は安定器１０により規制される。尚、グロースタータ１１に並列に、グロースタータ１１の雑音を防止する雑音防止用コンデンサ１２が接続されている。インバータ方式の場合、上記の放電開始前のフィラメント電流と、電流を流し始めてからフィラメント間に電圧を印加する時間とを最適にコントロールできるために始動時の電子放射物質の損耗が減少し、場合によっては、寿命が４万時間を超えるようなランプもある。
【００３１】
図５は蛍光ランプの発光原理図である。図５を参照しながら蛍光ランプの発光原理について説明する。蛍光ランプは放電灯の一種である。電極（フィラメント）に電流が流れ加熱されると、電極（フィラメント）から熱電子が放出される。このときランプ両端の電極間に電圧がかかると放電が開始（ランプ点灯）する。つまり電極から放出された熱電子が反対側の電極に向かって飛び出す。この電子によって放電（プラズマ）が維持され、プラズマ中の電子がガラス管内で蒸発し気体となっている水銀原子に衝突する。この衝突により、水銀原子が紫外線を発生する。この紫外線は人間には見えないが、ガラス管内に塗布した蛍光体に紫外線が当たると可視光（目に見える）に変わり、照明に利用される。
【００３２】
直管蛍光ランプ１００の寸法及びその他は、一例では、ＪＩＳ  Ｃ７６１７−２で規定されたガラス管１の外径が２４．３ｍｍから２６．７ｍｍ、口金６ａ，６ｂの外端面間の距離が略１１９８ｍｍのＦＨＦ３２に相当している。
【００３３】
フィラメント３ａ，３ｂに付着させた電子放射物質量と水銀の封入量は、後述するように、平均電子放射物質消失時間（電子放射物質が消失してなくなる平均点灯時間）をｔｅｍ、平均水銀不活性化時間（蒸発可能な有効水銀がなくなる平均点灯時間）をｔＨｇとすると、
ｔｅｍ−２０００≦ｔＨｇ≦ｔｅｍ＋８０００
２００００≦ｔＨｇ
さらに一例では、ｔＨｇ≦３５０００
を満たすように調整されている。
【００３４】
水銀の封入方法について説明する。水銀を正確に封入する方法は幾つかあるが、一例では、鉄板製の帯に水銀−チタン合金粒子を圧着させ、ロの字状に折り曲げて端同士を溶接した水銀保持構体８（図１、図２参照）を形成する。図１の直管蛍光ランプ１００は、水銀保持構体８を左端部に設けている。右端部には、水銀保持構体８を有さない。すなわち、水銀保持構体８は、直管蛍光ランプ１００のいずれかの端部に設ければよい。
【００３５】
この水銀保持構体８を蛍光ランプ内のいずれかの端部に設け、希ガスを入れて（排気管のチップオフにより）密封した後、高周波電磁界を印加して加熱し、殆どの水銀を蒸発させ、ランプの管内に放出させる。この放出される水銀量は水銀保持構体８に圧着される水銀−チタン合金粒子の量により、調整される。バラツキは概略±１０％程度である。一例では、平均２．７ｍｇで±０．２７ｍｇとなる。
【００３６】
水銀は、次のような、幾つかのメカニズムで蒸発しない形、すなわち、不活性化されて行くと言われている。
（１）第１は、水銀がガラス側に拡散し、ガラス内まで拡散して蒸発できなくなるか、ランプ内側に拡散してきたガラス成分の主にナトリウムとアマルガムを形成し、飽和蒸気圧が極端に小さくなる。
（２）第２は、フィラメントから飛散してきた電子放射物質と蛍光面上でアマルガムあるいはその酸化物を形成し、飽和蒸気圧が極端に小さくなる。
（３）第３の可能性として、ランプ内の不純物、特に、酸素と反応して、酸化水銀となり、蒸発しなくなる。
【００３７】
この結果、蒸発する有効水銀量が点灯することにより減少して行くが、０時間から１０００時間程度は、若干有効水銀の消耗速度が速いがその後はほぼ一定で、そのまま０ｍｇになったところで、発光が極端に減少して、寿命になる。この有効水銀がなくなるまでの時間のバラツキは、後述する電子放射物質がなくなる時間のバラツキの２／３程度と小さい。このように比較的バラツキが小さいことなどから、上記の３種類の過程のうち、第１の過程が主な過程である可能性が強い。
【００３８】
また、有効水銀量は、直流点灯した場合に水銀イオンの移動速度を利用して、非破壊で測定できるため、寿命テスト中にその減少量を測定でき、かつ、減少量を外挿して、有効水銀がなくなる時間を精度よく、推定できる。ここで示している有効水銀がなくなる時間はこの方式で推定したものである。
【００３９】
電子放射物質について説明する。例えば、バリウム、ストロンチウム、カルシウムを炭酸塩として共沈させ、それと酸化ジルコニウムの微粒子をバインダや有機溶剤で縣濁液をつくり、ステム４ａ，４ｂに固定されたリード線５ａ，５ｂ，５ｃ，５ｄに設けられたフィラメント３ａ，３ｂに塗布する。ステム４ａ，４ｂをガラス管１に封止後、排気しながらフィラメント３ａ，３ｂに通電して、温度を上げてバインダなどの有機物をまず分解・蒸発させ、さらに、炭酸塩を分解して酸化物にする。この後、上記の希ガス導入工程、密封工程、水銀放出工程などにより完成する。なお、電子放射物質の重量を示す場合には、フィラメント３ａ，３ｂに付着させた状態である炭酸塩の状態ではなく、炭酸塩を分解し、酸化物にした後の重量で示す。
【００４０】
電子放射物質については、付着量のバラツキは１５％程度であり、一例では、付着量を平均４．０ｍｇとすると±０．６ｍｇ程度になる。電子放射物質は、点灯中、電子を放出することから放電を維持することができ、一方、１０００Ｋ程度に温度が上がること、イオン等のスパッタリングがあることから、フィラメント３ａ，３ｂから飛散して行き、やがてなくなることにより、放電を維持できなくなる。この電子放射物質の飛散は、カソード時の電子放射点の位置や面積、その局所的な温度、アノード時の電子が入射する位置など、不確定な要因が多く、結局、この電子放射物質が減少する速度は、バラツキが大きい。
【００４１】
電子放射物質は、非破壊で測定する方法として、たとえば、特開平２−８６０３０号などに開示されたフィラメントと合わせた熱容量をその昇温速度を抵抗値の変化から求め、重量に換算する方法などがある。一方、電子放射物質は０時間から２０００時間程度は飛散速度がやや大きいが、その後ほぼ一定になり、約１ｍｇになると急激に消耗して、なくなり寿命となる。このため、寿命試験をしながら非破壊で電子放射物質量を測定してゆき、２０００時間程度から１万時間〜２万時間程度までの測定値を直線で外挿し、１ｍｇとなった時間を電子放射物質消失時間と推定でき、少なくとも平均値としては十分な精度があることを確認している。ここでいう平均電子放射物質消失時間はこのようにして測定・計算されたのである。
【００４２】
すなわち、
（１）電子放射物質消失時間のバラツキは、水銀不活性化時間のバラツキより大きい。
（２）何れのバラツキも、さらに小さくするのは難しい。
（３）平均水銀不活性化時間は、封入する水銀量を変化させればよいので、比較的自由に設定できる。
（４）平均電子放射物質消失時間は、フィラメントへの付着量を調整することにより、設定できる。しかしながら、一定以上多くしようとすると、フィラメントの設計を変えなくてはならず、また、衝撃で落ちやすくなるなどの課題があり、水銀ほどは自由に設定できない。従って、寿命を延ばそうとした場合、電子放射物質の付着量が障害になることが多い。
【００４３】
一例（実施例１、図７参照）では、この電子放射物質の付着量を平均４．０ｍｇにし、水銀の封入量を平均２．７ｍｇにした。この結果、平均電子放射物質消失時間は２９４００時間（標準偏差５２３０時間）である。これは、増量するのが比較的難しい電子放射物質を上記の平均４．０ｍｇにしたまま、寿命を最大限にするために、簡単に増量できる水銀の封入量を十分、例えば、４．５ｍｇにした場合の寿命に相当し、その仕様のランプ（比較例１（図７参照））を試作して確認した。一方、この例では、水銀を２．７ｍｇにしたため、平均水銀不活性化時間は３１６００時間であり、このために、両方のどちらかの原因で寿命となる実際の平均寿命は２７８０５時間（標準偏差３９４７時間）であった。これらの分布を図６に示す。
【００４４】
図６は実施の形態１を示す図で、直管蛍光ランプ１００の一例における電子放射物質消失時間、水銀不活性化時間、寿命のそれぞれの分布を示す図である。尚、図６における縦軸の確率密度は、各分布曲線の面積が１．０になるようにした値である。
【００４５】
４００００時間で、電子放射物質がなくならない率が約２．１％であったのに対して、電子放射物質がなくならず、且つ、水銀がなくならない率（不点寿命になる率）は０．０１％以下であった。このように、水銀量を電子放射物質量に対して制御することにより、平均寿命を１６００時間（２９４００時間→２７８０５時間（５％減））小さくするだけで、４００００時間以上点灯を続けるランプの率を２．１％から０．０１％以下に小さくすることができた（図７参照）。
【００４６】
また、この例（実施例１）では、寿命の標準偏差が３９４７時間であったが、比較例１では、標準偏差が５２３０時間であり、寿命のバラツキが減少するという利点がある。寿命のバラツキが小さいということは、蛍光ランプの取り替え計画などをおこないやすいなどのメリットがある。
【００４７】
図７は実施の形態１を示す図で、電子放射物質のフィラメントへの平均付着量を一定にして、すなわち、平均電子放射物質消失時間を一定にして、水銀不活性化時間を変化させた場合の寿命がどうなるかを示す図である。水銀不活性化時間を変化させた場合の標準偏差は、試作により確認したところ、ほとんど変化が見られなかったため、同じ値を使った。
【００４８】
水銀完全不活性化時間ｔＨｇを短くして行くと寿命の平均値が小さくなるが、１５％程度は許容できるとした。すなわち、２９４００ｈ×０．８５＝２４９９０ｈまでは、許容できる。図７では、比較例１２，１３はこの範囲から外れる。一方、口金６ａ，６ｂのセメントが劣化し、強度が弱くなる可能性がある４００００時間を超えるランプの比率が１％以下となることを基準とした。比較例１と比較例１１とがこの条件から外れる。図７の実施例１から実施例６が両方の条件を満たす。
【００４９】
実施例１〜６は、電子放射物質消失時間をｔｅｍとすると、
ｔｅｍ−２０００＝２９４００−２０００＝２７４００≦ｔＨｇ≦ｔｅｍ＋８０００＝２９４００＋８０００＝３７４００
を満たすことになる。すなわち、
ｔｅｍ−２０００≦ｔＨｇ≦ｔｅｍ＋８０００                    （１）
となる。
【００５０】
すなわち、（１）式を満たすように、ｔｅｍとｔＨｇを同時に動かしても効果があるが、実施例１から大きくずれると、試作・推定の範囲から外れる。上記の（１）式が確かめられている範囲は、下限が２００００≦ｔＨｇであり、上限は、フィラメント３ａ，３ｂに電子放射物質が塗布できる範囲（平均電子放射物質消失時間約４万時間相当）で成り立つ。
【００５１】
一方、口金６ａ，６ｂのセメントの劣化に対して、４００００時間を超える比率を０．１％にすれば、さらに確実である。図７より、ｔＨｇ≦３５０００であればよいことがわかる。
【００５２】
なお、最適な条件としては、ＪＩＳ  Ｃ７６１７−２で規定されたガラス管１の外径が２４．３ｍｍから２６．７ｍｍ、口金６ａ，８ｂの外端面間の距離が略１１９８ｍｍのＦＨＦ３２において、厚さ０．５μｍ〜２．０μｍのγアルミナを主成分とする保護膜と蛍光体層で蛍光面を構成した場合、フィラメント３ａ，３ｂに付着された電子放射物質の平均重量を、酸化物分として１個当り３．２ｍｇ〜４．５ｍｇとし、平均水銀量を２．２〜３．２  ｍｇとしたものであり、図７の実施例１に対応する。なお、保護膜は、前述のように、水銀の消失を防ぐ作用があるが、この厚さの範囲では水銀消失速度がほとんど変わらないことを確認している。
【００５３】
実施の形態２．
図８、図９は実施の形態２を示す図で、図８は直管蛍光ランプ２００の一部を破断して示す正面図、図９は図８のＣ部拡大図である。実施の形態２の直管蛍光ランプ２００（蛍光ランプの一例、以下、単にランプ、蛍光ランプと呼ぶ場合もある）は、実施の形態１と同様な構造の直管蛍光ランプ２００のバルブ（ガラス管１）の外側に、ガラスが割れたときの飛散を防ぐための樹脂の透明膜９を密着して設けたものである。
【００５４】
実施の形態２の直管蛍光ランプ２００の電子放射物質の付着量と水銀の封入量は、実施の形態１の条件に加えて、
ｔＨｇ≦３００００                （２）
を満たす。これは、実施例５，６（図７参照）が該当する。この範囲では、３５０００時間以上の寿命のランプは１％以下である。また、実際に封入する水銀量の一例は、実施例５，６に対応して、平均２．２ｍｇである。
【００５５】
図１０は実施の形態２を示す図で、直管蛍光ランプ２００の一例（実施例６）における電子放射物質消失時間、水銀化時間、寿命のそれぞれの分布を示す図である。この図は図７の実施例６に相当する一例である。尚、図１０における縦軸の確率密度は、各分布曲線の面積が１．０になるように値である。上記以外は、実施の形態１と同様である。
【００５６】
透明膜９（樹脂膜）は、一例としては、約０．１ｍｍの厚さのポリエチレンテレフタレート製で、熱収縮するようにしてチューブ状に加工しておき、ランプを挿入後加熱して、密着させる。この透明膜９により、ランプを落としたり、ものを当てたときに割れても、飛散しないようにしている。
【００５７】
透明膜９（樹脂膜）は、ランプを長時間点灯すると、その熱と紫外放射により劣化し、特に、３５０００時間を超えると、その飛散防止性能が低下する場合があった。このため、３５０００時間までにランプを寿命にすれば、飛散防止性能の低下が問題にならない。上記の条件はこの３５０００時間までに殆どのランプを寿命にする条件であり、この影響を最小限にすることができる。
【符号の説明】
【００５８】
１  ガラス管、３ａ，３ｂ  フィラメント、４ａ，４ｂ  ステム、５ａ，５ｂ，５ｃ，５ｄ  リード線、６ａ，６ｂ  口金、７ａ，７ｂ，７ｃ，７ｄ  ピン、８  水銀保持構体、９  透明膜、１０  安定器、１１  グロースタータ、１２  雑音防止用コンデンサ、１００  直管蛍光ランプ、２００  直管蛍光ランプ。
【図１】
0005869210.tif 000002
【図２】
0005869210.tif 000003
【図３】
0005869210.tif 000004
【図４】
0005869210.tif 000005
【図５】
0005869210.tif 000006
【図６】
0005869210.tif 000007
【図７】
0005869210.tif 000008
【図８】
0005869210.tif 000009
【図９】
0005869210.tif 000010
【図１０】
0005869210.tif 000011